(57)【要約】【課題】  燃料電池のスーパーコンデンサハイブリッド電気車両のパワー運転モードにおいて、キーオフ時に安定的に高電圧単品をパワーダウンさせることのできるシーケンス制御技術を提供する。【解決手段】  本発明は、キーオフ入力時、現在の運転モードを判断する段階と、現在の運転モードが燃料電池モードの場合、補助バッテリーに連結された低電圧ＤＣ−ＤＣコンバーターを昇圧モードに転換させる段階と、補助バッテリーから供給されて低電圧ＤＣ−ＤＣコンバーターにより昇圧された電圧が高電圧単品に供給されて高電圧単品の駆動状態が維持される段階と、スタックＰＤＵをオフにさせて燃料電池スタックのパワーを遮断する段階と、燃料電池の作動を終了するための停止命令を燃料電池制御装置に伝達して高電圧単品をオフにさせると同時に燃料電池の作動を終了させる段階と、低電圧ＤＣ−ＤＣコンバーターをオフにさせる段階と、を含むことを特徴とする。【選択図】  図２
2008148541.tif 000002
【特許請求の範囲】
【請求項１】
キーオフ入力時、現在の運転モードを判断する段階と、
現在の運転モードが燃料電池モードの場合、補助バッテリーに連結された低電圧ＤＣ−ＤＣコンバーターを昇圧モードに転換させる段階と、
前記補助バッテリーから供給されて前記低電圧ＤＣ−ＤＣコンバーターにより昇圧された電圧が高電圧単品に供給されて前記高電圧単品の駆動状態が維持される段階と、
スタックＰＤＵをオフにさせて燃料電池スタックのパワーを遮断する段階と、
燃料電池の作動を終了するための停止命令を燃料電池制御装置に伝達して前記高電圧単品をオフにさせると同時に燃料電池の作動を終了させる段階と、
前記低電圧ＤＣ−ＤＣコンバーターをオフにさせる段階と、
を含むことを特徴とする燃料電池ハイブリッド電気車両のパワーダウン制御方法。
【請求項２】
前記高電圧単品は、燃料電池システム駆動に必要な空気供給装置（ＡＰＳ）、水素供給装置（ＦＰＳ）、冷却装置（ＴＭＳ）を含むＢＯＰ部品であることを特徴とする請求項１記載の燃料電池ハイブリッド電気車両のパワーダウン制御方法。
【請求項３】
前記高電圧単品に連結された高電圧ＤＣ−ＤＣコンバーターは低電圧ＤＣ−ＤＣコンバーターが昇圧モードに転換されながらオフにさせることを特徴とする請求項１または２記載の燃料電池ハイブリッド電気車両のパワーダウン制御方法。
【請求項４】
前記低電圧ＤＣ−ＤＣコンバーターが昇圧モードに転換されて高電圧単品が昇圧により駆動される状態となると、燃料電池スタックのパワーを遮断するまで各冷却装置に供給し、モータ、モータ制御装置、コンバーター類、インバーター類を含む高電圧電装部品を冷却させることを特徴とする請求項１記載の燃料電池ハイブリッド電気車両のパワーダウン制御方法。
【請求項５】
キーオフ入力時、現在の運転モードがハイブリッドモードの場合、スーパーコンデンサが提供するパワーにより高電圧単品の駆動状態が維持されるようにして、スタックＰＤＵをオフにさせて燃料電池スタックのパワーを遮断する段階と、
次いで、燃料電池の作動を終了するための停止命令を燃料電池制御装置に伝達して前記高電圧単品をオフにさせると同時に燃料電池の作動を終了させる段階と、
ＤＣ−ＤＣコンバーター類をオフにさせる段階と、
ＰＤＵをオフにさせてスーパーコンデンサのパワーを遮断する段階と
を含むことを特徴とする燃料電池ハイブリッド電気車両のパワーダウン制御方法。
【請求項６】
現在の運転モードがハイブリッドモードの場合、燃料電池スタックのパワーを各冷却装置に供給して、モータ、モータ制御装置、コンバーター類、インバーター類を含む高電圧電装部品を冷却させた後、前記燃料電池スタックのパワー遮断段階を行うことを特徴とする請求項５記載の燃料電池ハイブリッド電気車両のパワーダウン制御方法。
【請求項７】
前記高電圧単品が燃料電池システム駆動に必要な空気供給装置（ＡＰＳ）、水素供給装置（ＦＰＳ）、冷却装置（ＴＭＳ）を含むＢＯＰ部品であることを特徴とする請求項５記載の燃料電池ハイブリッド電気車両のパワーダウン制御方法。
【発明の詳細な説明】
【技術分野】
【０００１】
本発明は燃料電池のスーパーコンデンサハイブリッド電気車両のパワーダウン制御方法に係り、更に詳しくは、キーオフ時にシステムを構成している各部品のオフおよび終了順序を運転モード別に最適化し、高電圧単品を安定的にパワーダウンさせることができる燃料電池のスーパーコンデンサハイブリッド電気車両のパワーダウン制御方法に関する。
【背景技術】
【０００２】
一般的に燃料電池は既存の発電方式と比較すると、発電効率が高いだけでなく発電による公害物質の排出が全くないため未来の発電技術として評価されており、エネルギー節約と環境公害問題、そして最近注目されている地球温暖化問題などを解決するための車両の動力源として活発に研究されている。
【０００３】
燃料電池は水素などの活性を有する物質、例えばＬＮＧ、ＬＰＧ、メタノールなどを電気化学反応を通して酸化させ、その過程で放出される化学エネルギーを電気に変換させるものであり、主に天然ガスから容易に生産することができる水素と大気中の酸素が使用される。
【０００４】
しかし、環境親和的な燃料電池のみを電気車両の動力源として使用する場合、電気車両を構成している負荷全てを燃料電池が担当するようになるため、燃料電池の効率が低い運転領域にて性能が低下するという短所がある。
【０００５】
そして、高い電圧を要求する高速運転領域で出力電圧が急激に減少する特性により駆動モータが要求する充分な電圧を供給できないため、車両の加速性能を低下させるという問題点がある。
【０００６】
また、車両に急激な負荷が印加される場合、燃料電池の出力電圧が瞬間的に急降下して駆動モータに充分な電力を供給できず、車両性能が低下するという短所がある（化学反応による電気を発生させるため急激な負荷変動に対しては燃料電池に無理がかかる）。
【０００７】
また、燃料電池は単方向性出力特性を有するため、車両制動時に駆動モータから印入されるエネルギーを回収することができず、車両システムの効率性を低下させるという短所がある。
【０００８】
前記短所を補完するための方案として、燃料電池車両において、高電圧バッテリーまたはスーパーコンデンサ（ｓｕｐｅｒ  ｃａｐａｃｉｔｏｒ）を別途に車両動力源として追加搭載した燃料電池バッテリーハイブリッドまたは燃料電池のスーパーコンデンサシステムが開発されている。
【０００９】
ここで、燃料電池のスーパーコンデンサハイブリッドシステムは、小型車両だけでなくバスなどの大型車両の主動力源である燃料電池の他に、モータ駆動に必要なパワーを提供するための別途の動力源としてスーパーコンデンサを搭載したシステムであり、図１は燃料電池のスーパーコンデンサハイブリッド電気車両のパワーネットの構成図である。
【００１０】
燃料電池のスーパーコンデンサハイブリッドシステムの基本的なパワーネット構成は、モータ３０駆動に必要なパワーを提供する燃料電池１０およびスーパーコンデンサ２０、モータの作動を制御するモータ制御装置（以下、ＭＣＵと称する）３１、半導体スイッチ（ＩＧＢＴ）のスイッチング動作を通してマルチ機能を具現するためのチョッパー４０、補助制動に係る制動抵抗器５０を含む。
【００１１】
また、各種補機類部品および燃料電池駆動関連付属部品などの付属負荷（Ｐａｒａｓｉｔｉｃ  Ｌｏａｄ）６０には、車両に装着された各種部品に対してパワーを提供するための１２Ｖおよび２４Ｖ補助バッテリー６１，６２、低電圧ＤＣ−ＤＣコンバーター（Ｌｏｗ  Ｖｏｌｔａｇｅ  ＤＣ−ＤＣ  Ｃｏｎｖｅｒｔｅｒ、ＬＶ  ＤＣＤＣ）６３，６４および高電圧ＤＣ−ＤＣコンバーター（Ｈｉｇｈ  Ｖｏｌｔａｇｅ  ＤＣ−ＤＣ  Ｃｏｎｖｅｒｔｅｒ、ＨＶ  ＤＣＤＣ）６６、インバーター６７、燃料電池システム駆動に必要なＢＯＰ（Ｂａｌａｎｃｅ  Ｏｆ  Ｐｌａｎｔ）部品（空気供給装置（ＡＰＳ）、水素供給装置（ＦＰＳ）、冷却装置（ＴＭＳ）などの装置全体を指す）６５、高電圧部品および燃料電池冷却のための冷却ポンプ（高電圧部品冷却および燃料電池冷却用）６８ａ、エアコン６８ｂ、パワーステアリング６８ｃなどの部品が含まれる。
【００１２】
図示した燃料電池のスーパーコンデンサハイブリッドシステムのパワーネットの構成において、燃料電池１０が提供するパワーのみでモータ３０が駆動されるモードである燃料電池モードと、燃料電池１０と合わせてスーパーコンデンサ２０が提供するパワーでモータ３０が駆動されるモードのハイブリッドモードでは、モータ駆動に必要なパワー以外に、低電圧ＤＣ−ＤＣコンバータであるＬＶ  ＤＣＤＣ（１４Ｖ）６３およびＬＶ  ＤＣＤＣ（２８Ｖ）６４、高電圧ＤＣ−ＤＣコンバータであるＨＶ  ＤＣＤＣ（３５０Ｖ）６６、インバータ６７を通して各々１２Ｖ、２４Ｖ補助バッテリー６１，６２、燃料電池駆動関連ＢＯＰ部品６５、冷却ポンプ６８ａ、エアコン６８ｂ、パワーステアリング６８ｃに高電圧パワーの供給のために図２の矢印で表わすような方向に補機類電流が流れる。
【００１３】
一方、図示した通り、１２Ｖおよび２４Ｖの２個の補助バッテリー６１，６２が装着された燃料電池のスーパーコンデンサハイブリッド電気車両において、パワーアップ（Ｋｅｙ  Ｏｎ）とその動作モードに対しては一部、研究されたところがあるが、未だパワーダウン（Ｋｅｙ  Ｏｆｆ）時のシーケンス制御に対する技術開発は提案されたことがない。
【００１４】
従って、燃料電池のスーパーコンデンサハイブリッド電気車両のパワー運転モードでキーオフをする際、安定的に高電圧単品をパワーダウンさせることのできるシーケンス制御技術の開発は切実な問題となっている。
【特許文献１】特開２００５−２１８２２１号公報
【発明の開示】
【発明が解決しようとする課題】
【００１５】
本発明は前記のような点を考慮してなされたものであり、燃料電池のスーパーコンデンサハイブリッド電気車両のパワー運転モードにおいて、キーオフ時に安定的に高電圧単品をパワーダウンさせることのできるシーケンス制御技術を提供することにその目的がある。
【課題を解決するための手段】
【００１６】
本発明は、キーオフ入力時、現在の運転モードを判断する段階と、現在の運転モードが燃料電池モードの場合、補助バッテリーに連結された低電圧ＤＣ−ＤＣコンバーターを昇圧モードに転換させる段階と、前記補助バッテリーから供給されて前記低電圧ＤＣ−ＤＣコンバーターにより昇圧された電圧が高電圧単品に供給されて前記高電圧単品の駆動状態が維持される段階と、スタックＰＤＵをオフにさせて燃料電池スタックのパワーを遮断する段階と、燃料電池の作動を終了するための停止命令を燃料電池制御装置に伝達して前記高電圧単品をオフにさせると同時に燃料電池の作動を終了させる段階と、前記低電圧ＤＣ−ＤＣコンバーターをオフにさせる段階と、を含むことを特徴とする。
【００１７】
前記高電圧単品は、燃料電池システム駆動に必要な空気供給装置（ＡＰＳ）、水素供給装置（ＦＰＳ）、冷却装置（ＴＭＳ）を含むＢＯＰ部品であることを特徴とする。
【００１８】
前記高電圧単品に連結された高電圧ＤＣ−ＤＣコンバーターは、低電圧ＤＣ−ＤＣコンバーターが昇圧モードに転換されながらオフにさせることを特徴とする。
【００１９】
前記低電圧ＤＣ−ＤＣコンバーターが昇圧モードに転換されて高電圧単品が昇圧により駆動される状態となると、燃料電池スタックのパワーを遮断するまで各冷却装置に供給し、モータ、モータ制御装置、コンバーター類、インバーター類を含む高電圧電装部品を冷却させることを特徴とする。
【００２０】
キーオフ入力時、現在の運転モードがハイブリッドモードの場合、スーパーコンデンサが提供するパワーにより高電圧単品の駆動状態が維持されるようにして、スタックＰＤＵをオフにさせて燃料電池スタックのパワーを遮断する段階と、次いで、燃料電池の作動を終了するための停止命令を燃料電池制御装置に伝達して前記高電圧単品をオフにさせると同時に燃料電池の作動を終了させる段階と、ＤＣ−ＤＣコンバーター類をオフにさせる段階と、ＰＤＵをオフにさせてスーパーコンデンサのパワーを遮断する段階と、を含むことを特徴とする。
【００２１】
現在の運転モードがハイブリッドモードの場合、燃料電池スタックのパワーを各冷却装置に供給して、モータ、モータ制御装置、コンバーター類、インバーター類を含む高電圧電装部品を冷却させた後、前記燃料電池スタックのパワー遮断段階を行うことを特徴とする。
【発明の効果】
【００２２】
本発明による燃料電池スーパーコンデンサハイブリッド電気車両のパワーダウン制御方法によると、キーオフ時に運転モード別にシステムを構成している各備品のオフおよび終了順序を最適化することで、高電圧単品を安定的にパワーダウンさせることができる。
特に、キーオフを入力する際、運転モード状態に従って、燃料電池が正常に終了するまで燃料電池システム駆動のためのＢＯＰ部品を安定的に運転させることのできる方案が準備されることで、ＢＯＰ部品に電圧が供給されていない時にも発生する燃料電池および各単品の非正常的なパワーダウンを予防することができ、各単品の致命的な損傷などの問題を防止することができる。
【発明を実施するための最良の形態】
【００２３】
以下、図面を参照にして本発明を更に詳しく説明する。
【実施例】
【００２４】
本発明は燃料電池のスーパーコンデンサハイブリッド電気車両のパワーダウン制御方法に関し、燃料電池のスーパーコンデンサハイブリッド電気車両のパワー運転モードにおいて、キーオフ時に安定的に高電圧単品をパワーダウンさせるシーケンス制御方法を提供する。
【００２５】
特に、本発明は燃料電池のスーパーコンデンサハイブリッド電気車両において、ハイブリッドモードまたは燃料電池モードで運転中、車両を駐車しようとする際、構成品であるＬＶ  ＤＣＤＣ、ＨＶ  ＤＣＤＣ、ＰＤＵ（Ｐｏｗｅｒ  Ｄｉｓｃｏｎｎｅｃｔ  Ｕｎｉｔ）、スタックＰＤＵ、インバーターを利用して車両を安定的にパワーダウンさせる制御方法を提供する。
【００２６】
燃料電池のスーパーコンデンサハイブリッド電気車両（例えば、燃料電池のスーパーコンデンサハイブリッドバス）では、１２Ｖ、２４Ｖ補助バッテリーのパワーを使用する単品があり、また、３５０Ｖを使用する高電圧単品、例えば、空気供給装置（ＡＰＳ）、水素供給装置（ＦＰＳ）、冷却装置（ＴＭＳ）を含めて燃料電子システムの駆動に必要なＢＯＰ部品（これらの部品は燃料電池が正常にストップするまでは駆動されていなければならない）が搭載されているため、特化されたパワーダウン制御ロジックが必要である。
【００２７】
電源供給部にてスーパーコンデンサを使用することのできない燃料電池モードでは、キーオフ時に燃料電池の作動が終了するまでＢＯＰ部品に電圧が供給されなければ、燃料電池および各単品に非正常的なパワーダウンが発生し、各単品の致命的な損傷が発生する。
【００２８】
また、燃料電池のスーパーコンデンサ電気車両では、燃料電池およびスーパーコンデンサが同時に運用されるハイブリッドモードがあるが、運転中にスーパーコンデンサシステムの安定性に異常が発生した場合、車両の安全のために燃料電池のみで運用される燃料電池モードに移行し、各場合に対してパワーダウンシーケンスを最適化する必要がある。
【００２９】
これは図１に示すパワーネット構成に起因したものであり、以下各モードに対するパワーダウンシーケンス制御過程を図を参照にして詳しく説明する。
図２は本発明において、補助バッテリーに連結されたＤＣ−ＤＣコンバーターの昇圧モードを遂行した際のＢＯＰ部品への電流の流れ図である。これは本発明で後述する通り、燃料電池モード中、キーオフを行う際に燃料電池の作動が正常に終了するまでＢＯＰ部品を駆動させるための電流の流れ状態を表したものである。
【００３０】
図３と図４は燃料電池のスーパーコンデンサハイブリッドシステムにおいて、運転モードによるパワー供給状態の図として、各運転モードを説明するための参考図であり、特に燃料電池のスーパーコンデンサハイブリッド電気車両の各運転モードによる電気の流れ状態を表したもので、図３はハイブリッドモード時を、図４は燃料電池モード時を表す。
【００３１】
図３と図４では図２に表した各種補機類部品６８ａ、６８ｂ、６８ｃおよび燃料電池駆動関連ＢＯＰ部品６５、そして各部品に連結されたＬＶ  ＤＣＤＣ６３，６４、ＨＶ  ＤＣＤＣ６６、インバーター６７などを含む付属負荷を符号６０として簡略化して示した。
また、図５は本発明によるキーオフ時の制御過程を簡略に表した順序図であり、図６は本発明によるハイブリッドモードでのキーオフ時のキーオフシーケンス制御過程を、図７は本発明による燃料電池モードでのキーオフ時のキーオフシーケンス制御過程を更に詳しく説明した順序図である。
【００３２】
従来技術で述べた通り、燃料電池１０が提供するパワーのみでモータ３０が駆動されるモードである燃料電池モードと、燃料電池１０と合わせてスーパーコンデンサ２０が提供するパワーでモータ３０が駆動されるモードであるハイブリッドモードで、燃料電池１０とスーパーコンデンサ２０からはモータ駆動に必要なパワー以外に、低電圧ＤＣ−ＤＣコンバーターであるＬＶ  ＤＣＤＣ（１４Ｖ）６３およびＬＶ  ＤＣＤＣ（２８Ｖ）６４、高電圧ＤＣ−ＤＣコンバーターであるＨＶ  ＤＣＤＣ（３５０Ｖ）６６、インバーター６７を通して各々１２Ｖ、２４Ｖ補助バッテリー６１，６２、燃料電池駆動関連ＢＯＰ部品６５、冷却ポンプ６８ａ、エアコン６８ｂ、パワーステアリング６８ｃに高電圧パワー供給のために、図２の矢印で表わす方向に補機類電流が流れる。
【００３３】
このような状態でのキーオフ時には高電圧部品の冷却のためにインバーター６７および冷却ポンプ６８ａは一定時間動作されなければならず、特にパワーダウン制御過程で燃料電池１０の作動が正常に終了するまでは燃料電池システム駆動に必要なＢＯＰ部品６５が電力の供給を受け続けながら運転されなければならない。
【００３４】
図３に示す通り、図３のハイブリッドモードでは燃料電池スタック１１とスーパーコンデンサ２０がスタックＰＤＵ（Ｓｔａｃｋ  Ｐｏｗｅｒ  Ｄｉｓｃｏｎｎｅｃｔ  Ｕｎｉｔ）１２およびメインＰＤＵ１３のオン状態（電気的に連結された状態）でモータ３０駆動のためのパワーとＢＯＰ部品など付属負荷６０の駆動のためのパワーを供給する。
図示はしていないが、通常のスタックＰＤＵ１２とメインＰＤＵ（以下、ＰＤＵと略称する）１３とリレーを含む構成にて構成され、ハイブリッド制御装置（以下、ＨＣＵと略称する）により内部リレーの駆動が制御されながら電気的連結を断続するようになっている。
【００３５】
図４の燃料電池モードでは、燃料電池スタック１１がスタックＰＤＵ１２のオン状態でモータ駆動のためのパワーと付属負荷６０の駆動のためのパワーを供給するようになり、この時、スーパーコンデンサ２０の電源はＰＤＵ１３（関連リレーオフ）により遮断される。
また、前記のような各モードの運転中にキーオフ命令が入力されると図５に示す通り、ハイブリッドモードと燃料電池モードで、現在のモード状態に従ってオフシーケンス制御が行われる。
【００３６】
以下に、このような制御過程を各モード別に図６と図７を参照して詳しく説明する。
キーオフ命令を入力する際、運転モードの判断に従って、図３のようなハイブリッドモード状態の場合、図６のようなキーオフシーケンス制御を行い、図４のような燃料電池モード状態の場合、図７のようなキーオフシーケンス制御を行う。
【００３７】
まず、キーオフ命令を入力する際、ハイブリッドモード状態の場合、キーオフ入力により燃料電池およびスーパーコンデンサのパワーを遮断する前に、第１制御装置、例えば、車両制御装置（ＶＣＵ）が運転中に温度が上昇した各種高電圧電装部品、即ち、モータ、モータ制御装置、コンバーター類、インバーター類などの高電圧電装部品を冷却させるための冷却制御を行う。
【００３８】
前記した高電圧電装部品の温度を下げるための冷却過程は、各部品別に既装着された冷却装置を制御することで行われ、各高電圧電装部品別に冷却を行う冷却装置は電気車両の基本的な構成要素である。これらの関連技術は、先行特許などを含め公知技術であるため詳しい説明は省略する。
【００３９】
前記のように高電圧電装部品の冷却が完了すると、第２制御装置、例えば、ハイブリッド制御装置（ＨＣＵ）はスタックＰＤＵ１２をオフにさせて燃料電子スタック１１のパワーを遮断し、この時、スーパーコンデンサ２０のパワーのみが全高電圧電装品に供給されるため、ＢＯＰ部品６５はスーパーコンデンサ２０が提供するパワーにより駆動状態を維持する。
【００４０】
以後、第２制御装置は燃料電池１０の作動を終了するための停止命令を燃料電池制御装置に伝達し、これに燃料電池制御装置が燃料電池１０の動作に必要であった全ＢＯＰ部品６５をオフにさせて燃料電池１０の動作を終了させる。
そして、第２制御装置がＤＣ−ＤＣコンバーター６３，６４，６６類の作動を停止（ＬＶ  ＤＣＤＣ（１４Ｖ）、ＬＶ  ＤＣＤＣ（２８Ｖ）、ＨＶ  ＤＣＤＣ（３５０Ｖ）などのコンバーターオフ）させた後、ＰＤＵ１３をオフにさせてスーパーコンデンサ２０のパワーを遮断する。
【００４１】
第２制御装置はスーパーコンデンサ２０のパワーを遮断した後、オフにされ、第２制御装置がオフになりながらキーオフ全ての過程が終了するとシステムはシャットダウン状態となる。
一方、キーオフ命令を入力する際、燃料電池モード状態の場合、スーパーコンデンサ２０のパワーは既に切断されているため、その後、燃料電池動作終了までＢＯＰ部品６５の駆動は補助バッテリー６１の電源により行われる。
【００４２】
即ち、第２制御装置（例、ＨＣＵ）が１２Ｖ補助バッテリー６１に連結された低電圧ＤＣ−ＤＣコンバーター（１４Ｖ）６３を昇圧モードに転換させるための制御を行い、これと同時にＢＯＰ部品６５に直結された高電圧ＤＣ−ＤＣコンバーター（３５０Ｖ）６６は低電圧ＤＣ−ＤＣコンバーター６３の昇圧モードを支援するためにオフさせる。
この時、補助バッテリー６１から出力された１４Ｖ電圧は低電圧ＤＣ−ＤＣコンバーター（１４Ｖ）６３の昇圧モード作動によりＢＯＰ部品６５を作動させるための高電圧３５０Ｖに昇圧され、ＢＯＰ部品６５は補助バッテリー６１で低電圧ＤＣ−ＤＣコンバーター（１４Ｖ）６３を通して供給される３５０Ｖ電圧で駆動状態を維持する。
【００４３】
その後、ハイブリッドモードと同様に、第１制御装置（例、ＶＣＵ）により高電圧電装部品の冷却が行われ、高電圧電装部品の冷却が完了すると第２制御装置は２４Ｖ補助バッテリー６２に連結された低電圧ＤＣ−ＤＣコンバーター（２８Ｖ）６４をオフにさせた後、スタックＰＤＵ１２をオフにさせて燃料電池スタック１１のパワーを遮断する。
この時、ＢＯＰ部品６５は１２Ｖ補助バッテリー６１にて低電圧ＤＣ−ＤＣコンバーター６３を通して供給される３５０Ｖ電圧にて駆動状態を維持し続ける。
【００４４】
その後、第２制御装置は燃料電池１０の作動を終了するための停止命令を燃料電池制御装置に伝達した後、燃料電池制御装置が燃料電池１０の動作に必要であった全てのＢＯＰ部品６５をオフにさせ、燃料電池１０の動作を終了させる。
そして、第２制御装置は残りの低電圧ＤＣ−ＤＣコンバーター（１４Ｖ）６３をオフにさせて、最後に第２制御装置がオフになりながらキーオフの全過程が終了し、システムがシャットダウン状態になる。
【図面の簡単な説明】
【００４５】
【図１】燃料電池のスーパーコンデンサハイブリッド電気車両のパワーネット構成図である。
【図２】本発明で補助バッテリーに連結されたＤＣ−ＤＣコンバーターの昇圧モード遂行時の電流の流れ図である。
【図３】燃料電池のスーパーコンデンサハイブリッドシステムにおいて、ハイブリッドモードによるパワー供給状態図である。
【図４】燃料電池のスーパーコンデンサハイブリッドシステムにおいて、燃料電池モードによるパワー供給状態図である。
【図５】本発明によるキーオフ時の制御過程を簡略に表した順序図である。
【図６】ハイブリッドモードにおいて、本発明によるキーオフ時のキーオフシーケンス制御過程を表す詳細図である。
【図７】燃料モードにおいて、本発明によるキーオフ時のキーオフシーケンス制御過程を表す詳細図である。
【符号の説明】
【００４６】
１０  燃料電池                  
１１  燃料電池スタック
１２  スタックＰＤＵ            
１３  ＰＤＵ
２０  スーパーコンデンサ        
３０  駆動モータ
３１  ＭＣＵ                    
６０  付属負荷
６１  １２Ｖ補助バッテリー      
６２  ２４Ｖ補助バッテリー
６３，６４  低電圧ＤＣ−ＤＣコンバーター
６５  ＢＯＰ部品
６６  高電圧ＤＣ−ＤＣコンバーター
６８ａ  冷却ポンプ
【図１】
2008148541.tif 000003
【図２】
2008148541.tif 000004
【図３】
2008148541.tif 000005
【図４】
2008148541.tif 000006
【図５】
2008148541.tif 000007
【図６】
2008148541.tif 000008
【図７】
2008148541.tif 000009